(57)【特許請求の範囲】
【請求項１】
開閉する扉付の介護用浴槽において、
前記介護用浴槽は、浴槽部と扉部とを有するものであり、
前記扉部は、前記浴槽部とヒンジによって開閉可能な状態で連結され、係合部によって固定されるものであり、
該係合部は、
前記浴槽部の前面部の左右のそれぞれに、少なくとも上下一対の受鉤が設置されており、
前記扉部の前記浴槽部との対向面には、前記受鉤と係合する掛鉤が設置されており、
該掛鉤は、左右一対の係合駆動部を介して回動され、前記受鉤と係合されて固定されるものである
ことを特徴とする開閉する扉付の介護用浴槽。
【請求項２】
前記扉部は、外扉と内扉とを有するものであり、
前記外扉は、額縁状をしており、底面部の内側には円筒形状をしたローラベアリングが設置されており、底面部の外側には逆Ｌ字状をした扉用キャスターが設置されており、
前記内扉は、前記外扉に嵌合され、複数個のばねによって係止されているフローティング構造のものである
ことを特徴とする請求項１記載の開閉する扉付の介護用浴槽。
【請求項３】
前記外扉は、前記受鉤と前記掛鉤とが係合した状態のままでロックすることが可能なストッパーと、
座面が回動する椅子が設置されている
ことを特徴とする請求項２に記載の開閉する扉付の介護用浴槽。
【請求項４】
前記内扉は、枠体部とシールパッキン保持部とを有するものであり、
前記枠体部には、前記係合駆動部が装着されており、
前記シールパッキン保持部には、シールパッキンが装着されている
ことを特徴とする請求項２に記載の開閉する扉付の介護用浴槽。
【請求項５】
前記受鉤は、
円筒形状をしたローラベアリングである
ことを特徴とする請求項１乃至請求項４のいずれか一項に記載の開閉する扉付の介護用浴槽。
【発明の詳細な説明】
【技術分野】
【０００１】
本発明は、身体障害者や養護老人等の体の不自由な人の入浴に利用される開閉する扉付の介護用浴槽に関するものである。
【背景技術】
【０００２】
従来より、体の不自由な人が入浴に利用されている開閉する扉の付いた浴槽として様々な構造をした介護用浴槽が提供されている。
【０００３】
例えば、特許文献１や特許文献２では、略直方体形状をした浴槽の前面部分（短側面の部分）が開閉する構造の扉付の介護用浴槽について開示されている。これらの介護用浴槽を用いると、体の不自由な人などは車椅子に乗ったままの状態で入浴をすることができる。
【０００４】
一方、特許文献３では、略直方体形状をしている浴槽の一方の長側面部分が回動して、その高さを低くすることによって、体の不自由な人が跨ぎやすくする構造の介護用浴槽について開示されている。この構造の介護用浴槽は、軽度の体の不自由な人にとっては、足を少しだけ上げたりする必要性があることなどから、適度の運動を強いることになるので好ましい構造といえる。
【先行技術文献】
【特許文献】
【０００５】
【特許文献１】特開２００１−１８７１００号公報
【特許文献２】特開２００８−８６５７９号公報
【特許文献３】特開２００９−５６１３８号公報
【発明の概要】
【発明が解決しようとする課題】
【０００６】
しかしながら、上述した特許文献１及び特許文献２に記載されている介護用浴槽は、車椅子の車輪に細菌やゴミ等が付着している場合が多く、浴槽内の温水を汚したり、不衛生であったりするので、入浴者にとっては不安や不快な印象を与えるという問題点がある。
【０００７】
また、特許文献３に記載の介護用浴槽は、スイングアームを用いることによって、略直方体形状をしている浴槽の一方の長側面部分が機械的に回動するという複雑な構造を有するものなので、その価格が極めて高価になるという問題点がある。
【０００８】
本発明は、上記した問題点の解決を目的としており、浴槽内の温水を汚したり、入浴者にとって不安や不快な印象を与えたりすることがなく、軽度の体の不自由な人にとっては適度の運動を強いることができるとともに、安価で使いやすい構造の介護用浴槽の提供を目的としている。
【課題を解決するための手段】
【０００９】
本発明は、身体障害者や擁護老人等の体の不自由な人にとって、入退浴を容易にするために、浴槽の前面部分に左右に開閉する扉の付いた介護用浴槽を提供するものである。
【００１０】
請求項１に記載した発明は、
開閉する扉付の介護用浴槽において、前記介護用浴槽は、浴槽部と扉部とを有するものであり、前記扉部は、前記浴槽部とヒンジによって開閉可能な状態で連結され、係合部によって固定されるものであり、該係合部は、前記浴槽部の前面部の左右のそれぞれに、少なくとも上下一対の受鉤が設置されており、前記扉部の前記浴槽部との対向面には、前記受鉤と係合する掛鉤が設置されており、該掛鉤は、左右一対の係合駆動部を介して回動され、前記受鉤と係合されて固定されるものである
ことを特徴としている。
【００１１】
請求項２に記載した発明は、請求項１に記載した発明において、
前記扉部は、外扉と内扉とを有するものであり、前記外扉は、額縁状をしており、底面部の内側には円筒形状をしたローラベアリングが設置されており、底面部の外側には逆Ｌ字状をした扉用キャスターが設置されており、前記内扉は、前記外扉に嵌合され、複数個のばねによって係止されているフローティング構造のものである
ことを特徴としている。
【００１２】
請求項１及び請求項２に記載した発明を用いると、１個の開閉レバーを押し下げることによって、計４個の掛鉤と受鉤とをしっかりと係合させることができるので、浴槽内を十分に液密化することができる。
【００１３】
また、外扉の底面部にはローラベアリングが設置されているので、荷重に対して十分な強度を有しており、扉部と浴槽部とを固定等をする際にもスムーズに動かすことができる。
【００１４】
加えて、本発明は複雑な制御装置を用いておらず、小型・軽量であり、比較的簡単な構造をしているので、安価で壊れにくく、使いやすい構造をしている。
【００１５】
請求項３に記載した発明は、請求項２に記載した発明において、
前記外扉は、前記受鉤と前記掛鉤とが係合した状態のままでロックすることが可能なストッパーと、座面が回動する椅子が設置されている
ことを特徴としている。
【００１６】
外扉にストッパーが設置されているので、入浴中に扉部が不意に開くようなことはない。また、椅子の座面が回動するので、入浴者は少ない労力で体の向きを変えることができるので、狭い空間でも楽に浴槽部に出入りをすることができる。
【００１７】
請求項４に記載の発明は、請求項２に記載した発明において、
前記内扉は、枠体部とシールパッキン保持部とを有するものであり、前記枠体部には、前記係合駆動部が装着されており、前記シールパッキン保持部には、シールパッキンが装着されている
ことを特徴としている。
【００１８】
内扉の部分にシールパッキンが装着されているので、浴槽内に湯をはった状態で、外扉の部分に何らかの荷重がかかったような場合でも、シールパッキンが装着されている内扉の荷重はほとんど変化しないので液密性が失われるようなことはない。
【００１９】
請求項５に記載の発明は、請求項１乃至請求項４のいずれか一項に記載した発明において、
前記受鉤は、円筒形状をしたローラベアリングである
ことを特徴としている。
【００２０】
請求項５に記載した発明を用いると、掛鉤との係合時における荷重に対しても十分な強度を有しており、扉部と浴槽部とを固定等をする際にもスムーズに、不快な音をたてることもなく動かすことができる。
【発明の効果】
【００２１】
本発明に係わる開閉する扉付の介護用浴槽１は、車椅子のままで入浴するような構造のものではないので、浴槽内の温水を汚したり、それによる入浴者に不安や不快な印象を与えたりすることがない。
【００２２】
また、軽度の体の不自由な人にとっては、入浴時及び退浴時において、手足を動かす必要性があり、適度の運動を強いることができるのでリハビリなどの面からも優れたものである。
【００２３】
加えて、本発明は複雑な機械装置を用いておらず、比較的簡単な構造をしているので、安価で壊れにくく、使いやすいものである。
【図面の簡単な説明】
【００２４】
【図１】開閉する扉の付いた介護用浴槽である。
【００２５】
（ａ）扉部５を閉じた状態。
【００２６】
（ｂ）扉部５を開いた状態。
【図２】浴槽部と扉部の連結部の概略図である。
【００２７】
（ａ）浴槽部３の左前面部分。
【００２８】
（ｂ）浴槽部３と扉部５との連結部分。
【図３】扉部５の内部構造の説明図である（扉部５の裏面から見た状態）。
【００２９】
（ａ）外扉３１。
【００３０】
（ｂ）内扉３２の枠体部３２ａ。
【００３１】
（ｃ）内扉３２のシールパッキン保持部３２ｂ。
【図４】係合駆動部４０ａの概略図である。
【００３２】
（ａ）係合前の状態。
【００３３】
（ｂ）係合後の状態。
【図５】係合状態の説明図である。
【００３４】
（ａ）係合前の状態。
【００３５】
（ｂ）係合途中の状態。
【００３６】
（ａ）係合後の状態。
【図６】ストッパー３９の説明図である。
【００３７】
（ａ）作動前の状態。
【００３８】
（ｂ）作動後の状態。
【図７】椅子７の説明図である。
【００３９】
（ａ）外扉３１に椅子７が固定されている状態。
【００４０】
（ｂ）座面７５の内部構造。
【図８】使用状態を示す説明図である。
【００４１】
（ａ）入浴者Ａが椅子に座った状態。
【００４２】
（ｂ）入浴者Ａが入る途中の状態。
【００４３】
（ｃ）介護者Ｂが開閉レバーを閉じた状態。
【発明を実施するための形態】
【００４４】
以下において、本発明に関わる開閉する扉の付いた介護用浴槽１の一実施例について詳細に説明する（図１〜図８）
１．介護用浴槽
本発明に関わる扉の付いた介護用浴槽１を図１に示す。この介護用浴槽１は、略直方体形状をした浴槽部３と、開閉する構造の扉部５とが、上下一対のヒンジ２０ａ，ｂによって連結された構成となっている（図１（ａ）、（ｂ））。
【００４５】
浴槽部３等は、木材、例えば、杉材や檜材などの針葉樹の木材で構成されており、図示されていない木材の裏面はアクリル樹脂などが塗着されて防水処理加工がされている。浴槽部３に木材を用いることによって、入浴者には木のぬくもりを感じさせることができる。なお、木材に替えて、ＦＲＰ（繊維強化プラスチック）を用いることもできる。
【００４６】
介護用浴槽１の下部には、移動を容易にするとともに床面に簡易に固定できるストッパーの付いた浴槽用キャスター２１ａ，ｂ，ｃ，ｄと扉用キャスター３４の計５個のキャスターが設置されている。
【００４７】
扉部５の前面左側には、開閉レバー３７が設置されており（図１（ａ））、右側に設置されている上下一対のヒンジ２０ａ，ｂを介して、扉部５を浴槽部３の手前側に開閉可能にされている（図１（ｂ））。なお、図１（ａ）の状態は、開閉レバー３７が押し下げられており、扉部５が閉じられて、後述するストッパー３９によってロックされた状態になっている。
【００４８】
扉部５は、外扉３１と内扉３２とで構成されており、内扉３２には略Ｕ字形をしており上方が空いているゴム製、例えば発泡スポンジ製の厚みが約１５ｍｍのシールパッキン５３が装着されている。このシールパッキン５３は、浴槽部３の前面部１１に設置されているシールパッキン当節部２３と当接された状態で、一定の加圧をされて数ｍｍ程度、例えば５ｍｍ程度収縮されることによって浴槽内を水密に保持することができる。
【００４９】
また、扉部５の内側には、体の不自由な人（以下において、単に入浴者という場合がある。）が入浴時や退浴時に使用するための椅子７が設けられており、その詳細な構造等については後述する（図１（ｂ））。なお、扉部５の上部の椅子７の設置部分は、装飾性及び挟まれ事故等を防止するための木製の装飾板９で覆われている。
【００５０】
扉部５の下部には、逆Ｌ字状をした扉用キャスター３４が内側方向（浴槽部の後面部１３の方向）を向くように設置されている（図１（ｂ））。ここで、扉部５の下部に内側方向を向くように逆Ｌ字状をした扉用キャスター３４を設置することによって、入浴者や介護者が、つまずきにくくできることや、椅子７に腰をかけた場合などにおいて、ヒンジ２０ａ，ｂの部分にかかるモーメント力を相殺して、下方向にかかる力を軽減することができる。したがって、扉部５やヒンジ２０ａ，ｂの部分を小型・軽量化することができる。
２．浴槽部３と扉部５の連結部
浴槽部３と扉部５の連結部の概略図を図２に示す。浴槽部３と扉部５とは、左端の上下一対のヒンジ２０ａ，ｂによって回動可能な状態で連結されている。
【００５１】
本発明に関わる介護用浴槽１は、浴槽部３の前面部１１の左右のそれぞれに、上下に２個、計４個の受鉤４１ａ〜ｄが設置されている（図２（ａ）、（ｂ））。これら計４個の受鉤４１ａ〜ｄは、扉部５が閉じられた状態では、扉部５に形成されている計４個の受鉤挿入孔４５ａ〜ｄの部分に挿入される（図１（ｂ）、図２（ｂ））。
【００５２】
そして、開閉レバー３７を押し下げることによって、計４個の受鉤４１ａ〜ｄと、後述する扉部５の計４個の掛鉤４３ａ〜ｄとの係合によって、浴槽部３と扉部５とを四方の４箇所でしっかりと係止して固定することができる。
【００５３】
計４個の受鉤４１ａ〜ｄとして、円筒形状をしており、回動可能であり、掛鉤との係合時における荷重に対しても十分な強度を有するローラベアリングを用いることにした。受鉤４１ａ〜ｄは、先端（固定されていない円盤状をした部分）が浴槽部３の内側方向を向いており、回転軸が水平方向を向くように突出した状態で設置されている（図１（ｂ）、図２（ａ），（ｂ））。
【００５４】
受鉤４１ａ〜ｄとして、ローラベアリングを用いることによってスムーズに回動するので、後述する計４個の掛鉤ａ〜ｄとの係合時においても不快な音をたてるようなことはない。
【００５５】
扉部５が閉められた状態では、略Ｕ字形をしており上方が空いている発泡スポンジ製のシールパッキン５３と、対向する浴槽部３の前面部１１に設置されているシールパッキン当節部２３とが当接し、シールパッキン５３が圧縮された状態になる。
【００５６】
すなわち、シールパッキン５３が圧縮されて、その厚みが収縮することによってこの部分を水密化することができる。ここで、浴槽部３のシールパッキン当接部２３には、表面に凹凸がなく、腐食しにくい金属製の平板、例えば、ステンレス製の平板が用いられている。
３．扉部の構造
扉部５の構造を図３に示す。扉部５は、少なくとも外扉３１と内扉３２の２枚で構成されており、額縁状をした外扉３１の内側に内扉３２が嵌合される構造になっている。
【００５７】
外扉３１は、上面部に椅子７を取り付けるための椅子係止用ビス孔７０、浴槽部３と回動可能な状態で取り付けるための一対のヒンジ２０ａ，ｂの一部分、４個の受鉤挿入孔４５ａ〜ｄ、底面部の内側には左右一対の円筒形状をしたローラベアリング３１ａ，ｂ（図３（ａ））、底面部の外側にはストッパーの付いた扉用キャスター３４（図１（ｂ））、側面部にはストッパー３９（図１（ａ）、（ｂ））などが設置されている。
【００５８】
外扉３１の底面部の内側のローラベアリング３１ａ，ｂは、それぞれ回転軸が左右水平方向を向くように設置されており、この上に内扉３２の枠体部３２ａの底面が載置される構造となっている（図３（ａ））。
【００５９】
外扉３１の底面部に左右一対のローラベアリング３１ａ，ｂを設置することによって、後述するように開閉レバー３７を動かして、扉部５と浴槽部３とを固定をする際に、枠体部３２ａ（内扉３２）を前後方向にスムーズに動かすことができることや、ギシギシというような不快な音の発生を防止できる。
【００６０】
一方、内扉３２は、後述する係合駆動部４０ａ，ｂなどが装着されている枠体部３２ａ（図３（ｂ））と、略Ｕ字状をしたシールパッキン５３が接着剤などで装着されているシールパッキン保持部３２ｂ（図３（ｃ））とで構成されている。
【００６１】
内扉３２の枠体部３２ａには、外扉３１と固定するための少なくとも４個のコイルバネ３２ｃと、シールパッキン保持部３２ｂをボルト・ナットなどで固定するためのビス孔３２ｃと、後述するように１個の開閉レバー３７によって計４個の掛鉤４３ａ〜ｄを同時に動かすための係合駆動部４０などが設けられている。
【００６２】
すなわち、外扉３１と枠体部３２ａ（内扉３２）とは、ビスなどによってしっかりとは固定されてはおらず、４個のコイルバネ３２ｃと、外扉３１の内側底面部のローラベアリング３１ａ，ｂとによって保持されている、いわゆるフローティング構造となっている（図３（ａ）、（ｂ））。
【００６３】
ここで、４個のコイルバネ３２ｃは、外扉３１と内扉３２の距離を常に近づけるような引張り方向に機能するものである。４個のコイルバネ３２ｃを用いることによって、後述するように、計４個の掛鉤４３ａ〜ｄと浴槽部３に固定されている受鉤４１ａ〜ｄとが係合する際に、それぞれ４個の係合部がほぼ一定の加圧力になるように調整することができる。
【００６４】
このフローティング構造によって、後述するように内扉３２のシールパッキン保持部３２ｂに装着されているシールパッキン５３についても均等な圧力で圧縮することができるので水密性機能が向上する（図３（ｃ））。
【００６５】
シールパッキン保持部３２ｂは、表面に凹凸のない耐腐食性を有する金属製の平板、例えば、ステンレス製の平板と、略Ｕ字形をしており上方が空いているシールパッキン５３と、枠体部３２ａに固定するためのビス孔３２ｄなどを有するものである。このシールパッキン５３として弾性ゴム体、例えば、厚みが約１５ｍｍの比較的硬めの発泡スポンジを用いた（図３（ｃ））。
【００６６】
そして、開閉レバー３７を押し下げることにより計４個の掛鉤４３ａ〜ｄと受鉤４１ａ〜ｄとが係合する際には、内扉３２（枠体部３２ａとシールパッキン保持部３２ｂ）は、４個のコイルバネ３２ｃの張力に逆らう方向となる浴槽部３の方向に引き寄せられる。ここで、シールパッキン５３の厚みを、１５ｍｍから１０ｍｍ程度まで圧縮すると（約５ｍｍの圧縮）、十分な水密化が可能になることがわかった。
４．係合部３６
浴槽部３と扉部５との係合部３６について説明する（図４〜図６）。この係合部３６は、ヒンジによって開閉可能な状態で浴槽部３と連結されている扉部５を、浴槽部３としっかりと固定したり、固定の解除をしたりするものである。
【００６７】
この係合部３６は、浴槽部３の受鉤４１ａ〜ｄと、それに係合する扉部５の係合駆動部４０ａ，ｂ、左右連結棒４９ａ，ｂ、掛鉤４３ａ〜ｄ及びストッパー３９などによって構成されている。
【００６８】
本実施例では、１個の開閉レバー３７を押し下げることによって、左右一対の係合駆動部４０ａ，ｂ、上下一対の左右連結棒４９ａ，ｂなどを介して計４個の掛鉤４３ａ〜ｄを同時に回動させて、浴槽部３の計４個の受鉤４１ａ〜ｄと係合させる場合について説明する。
【００６９】
この左右一対の係合駆動部４０ａ，ｂは、ストッパー３９を除いて、内扉３２の枠体部３２ａの左右の側面部分、すなわち、外扉３１と内扉３２との隙間部分に設置されている（図６）。なお、ストッパー３９は、後述するように外扉３１に設置されている（図６）。
【００７０】
そして、左右一対の係合駆動部４０ａ，ｂは、枠体部３２ａの上下に設置された２本の左右連結棒４９ａ，ｂによって、同一の角度で回動するように連結されている（図３（ｂ））。なお、この係合駆動部４０ａ，ｂや左右連結棒４９ａ，ｂは、内扉３２の枠体部３２ａに通常の手法で固定されており、その固定方法についての詳細な説明は省略する。
【００７１】
以下において、扉部５の開閉レバー３７のある側、すなわち、図１（ａ）の扉部５の左側に設置されている係合部３６、特に係合駆動部４０ａについて詳細に説明する（図４）。なお、扉部５の右側の係合駆動部４０ｂについても、ほぼ同一の構造なので、相違部分のみを簡単に説明することにする。
【００７２】
この係合駆動部４０ａは、主に、掛鉤４３ａと一体化されているハテナ字状部材４２と、リンク板４８と、掛鉤４３ｂとで構成されている（図４（ａ）、（ｂ））。図４（ａ）、（ｂ）は、内扉３２の左側から、ストッパー３９などが設置されている外扉３１の側面方向を見た状態の概略図であり、ハテナ字状部材４２の一方の端の紙面手前側には開閉レバー３７が設置されている（図１（ａ）、図４（ａ）、（ｂ））。なお、理解を容易にするために、外扉３１に設置されているストッパー軸部３９ａ（ただし、ストッパー３９の先端部分）についても記載している。
【００７３】
ハテナ字状部材４２の他方の端には、浴槽部３の受鉤４１ａと係合する掛鉤４３ａを有しており、回転軸兼連結棒５０ａの部分を中心として回動可能な構造をしている。この回転軸兼連結棒５０ａの紙面手前側には、図示されていない扉部５内部の右側の係合駆動部４０ｂと連結するための左右連結棒４９ａが固定されている（図３（ｂ））。
【００７４】
リンク板４８は、細長い板状をしたものであり、その上部が回転軸４８ａを介してハテナ字状部材４２と、その下部が回転軸４８ｂを介して掛鉤４３ｂと、それぞれ回動可能な状態で連結されている。
【００７５】
掛鉤４３ｂは、回転軸４８ｂを介してリンク板４８と連結されており、浴槽部３の受鉤４１ｂと係合するものである。掛鉤４３ｂの回転軸４８ｂは、回転軸兼連結棒５０ｂの部分を中心として回動可能な構造をしており、その紙面手前側には、図３（ｂ）に示される左右連結棒４９ｂが固定されており、図示されていない扉部５の右側の係合駆動部４０ｂと連結されている。
【００７６】
図４（ａ）は、図示されていない開閉レバー３７が押し下げられていない状態、すなわち、掛鉤４３ａ，ｂと受鉤４１ａ，ｂとの係合前の状態である。この状態でのストッパー軸部３９ａは、ハテナ字状部材４２の裏面に当接した状態となっており、ストッパーとしての機能をはたしていない。
【００７７】
開閉レバー３７を押し下げていくと、ハテナ字状部材４２は、回転軸兼連結棒５０ａの部分を中心として左回りに回動し、掛鉤４３ａも左回りに回動する。一方、掛鉤４３ｂは、リンク板４８を介して回転軸兼連結棒５０ｂの部分を中心として右回りに回動する（図４（ａ））。
【００７８】
そのまま開閉レバー３７を押し下げていくと、掛鉤４３ａは下方向から受鉤４１ａと、掛鉤４３ｂは上方向から受鉤４１ｂとそれぞれ回動して係合することになる（図４（ａ）、（ｂ））。そして、掛鉤４３ａ，ｂと受鉤４１ａ，ｂとは、それぞれが引き寄せ合うように逆方向に回動して係合される。
【００７９】
ここで、浴槽部３に固定されている受鉤４１ａ，ｂは、前後方向には動かない構造のものなので、掛鉤４３ａ，ｂが浴槽部３に向けて引っ張られて動くことになる。すなわち、フローティング構造をした内扉３２の枠体部３２ａが浴槽部３の方向に動き、それに伴って枠体部３２ａに固定されているシールパッキン保持部３２ｂも浴槽部３に向けて動くことになる。その結果、シールパッキン保持部３２ｂに装着されているシールパッキン５３が圧縮されて、浴槽部３と扉部５との水密化が可能になる。
【００８０】
上述したように、扉部５の外扉３１と内扉３２（枠体部３２ａ）とは、ビスなどによってしっかりとは固定されてはおらず、４個のコイルバネ３２ｃと、外扉３１の内側底面部のローラベアリング３１ａ，ｂとによって保持されている、いわゆるフローティング構造となっている（図３（ａ）、（ｂ））。したがって、計４個の掛鉤４３ａ〜ｄと浴槽部３に固定されている受鉤４１ａ〜ｄとは、それぞれがほぼ一定の加圧力で係合するので十分な水密化が可能になる。
【００８１】
また、掛鉤４３ａと掛鉤４３ｂとは、上下逆方向から回動して受鉤４１ａと受鉤４１ｂとに係合するので、それぞれにかかる荷重を相殺することができる。したがって、枠体部３２ａ（内扉３２）やヒンジ２０ａ，ｂの部分にかかる負荷についても低減できるので、扉部５全体としても小型・軽量化をすることができる。
【００８２】
そして、後述するようにストッパー軸部３９ａは、それぞれの係合時には、ハテナ字状部材４２の右側に突出してロックするので、開閉レバー３７が最初の位置に戻るような状態、すなわち扉部５が不意に開くようなことはない（図４（ｂ））。
【００８３】
上述した内容を、別の角度から見た図で説明する（図５）。図５は、ストッパー３９などが設置されている扉部５の外側の側面から内側の係合部３６を見た状態図である（図１（ａ）。すなわち、図４とは、反対方向から見た図である。）。
【００８４】
図５（ａ）は、開閉レバー３７（ハテナ字状部材４２）が押し下げられていない状態の図である（掛鉤４３ａと受鉤４１ａとの係合前の状態。）。なお、理解を容易にするために浴槽部３に固定されている受鉤４１ａについても図示している。
【００８５】
開閉レバー３７（ハテナ字状部材４２）を少し押し下げていくと、掛鉤４３ａが下側から上がってきて（図５（ｂ））、さらに開閉レバー３７を押し下げていくと掛鉤４３ａと受鉤４１ａとが係合する（図５（ｃ））。なお、下方の掛鉤４３ｂと受鉤４１ｂとの係合についても同様であるので詳細な説明は省略する。
【００８６】
次に、外扉３１に設置されているストッパー３９（ストッパー軸部３９ａ）の作動状況について説明する（図６）。図６は、係合部３６を、扉部５の内側、斜上方から見た図である。
【００８７】
開閉レバー３７（ハテナ字状部材４２）が押し下げられていない状態では、ストッパー軸部３９ａの先端は、ハテナ字状部材４２の右側面に当接した状態となっている（図６（ａ））。ここで、ストッパー軸部３９ａと外扉３１との間にはねじりバネ５７が設置されており、ストッパー軸部３９ａは、ハテナ字状部材４２の方向（扉部５の内側方向）に常に力が働くように設定されている。
【００８８】
開閉レバー３７が押し下げられると、ストッパー軸部３９ａはハテナ字状部材４２から外れて（図４（ｂ））、ねじりバネ５７の力で左方向に突出することによってハテナ字状部材４２をロックする（図６（ｂ）、図４（ｂ））。したがって、開閉レバー３７が持ち上がって最初の位置に戻るようなことはなく、このままの状態でロックされて、扉部５は浴槽部３にしっかりと固定される。
【００８９】
なお、扉部５（外扉３１）のストッパー３９の部分を、ねじりバネ５７に逆らう方向に指で引っ張ることによって、簡単にロックを外すことができるので開閉レバー３７を再び引き上げることができる。
【００９０】
左右連結棒４９ａの反対端（図１（ａ）に示される扉部５の右側）には、図示されてはいないものの、掛鉤４３ａと同形状をした掛鉤４３ｄが、左右連結棒４９ｂの反対側には、掛鉤４３ｂと同形状をした掛鉤４３ｃなどを有する係合駆動部４０ｂが設置されている。この係合駆動部４０ｂは、開閉レバー３７（ハテナ字状部材４２）及び左右連結棒４９ａ，ｂ等によって、左側の係合駆動部４０ａと同一の角度で回動し、上述した内容と同様の機能を有するものなのでその詳細な説明については省略する。
【００９１】
本実施例では、浴槽部３の４個の受鉤４１ａ〜ｄと、それに係合する扉部５の４個の掛鉤４３ａ〜ｄとを係合させる場合について説明した。なお、リンク板４８を２枚とし、左右連結棒４９ａ，ｂを３本とするなどの改良をして、浴槽部３に設置した計６個の受鉤（左右それぞれ３個の受鉤）と、それに係合する扉部５の計６個の掛鉤とを係合させるようにすることもできる。
【００９２】
また、本実施例では、手動で開閉レバー３７（ハテナ字状部材４２）を動かす例を示しているが、この部分を電動モータや制御装置を用いることによって自動化できることは言うまでもない。
５．椅子７
入浴者が使用する椅子７について説明する（図７）。椅子７は、椅子固定具７２とビスを用いて扉部５（ただし、外扉３１の部分。）の上部の椅子係止用ビス孔７０に固定されている（図３（ａ）、図７（ａ））。なお、図７（ａ）は、理解を容易にするために装飾板９を外した状態が示されている。
【００９３】
上述したように、外扉３１と内扉３２とはフローティング構造をしており、椅子７は外扉３１の部分に固定されている。したがって、浴槽内に湯をはった状態で椅子７などの外扉３１に設置されている部分に何らかの荷重がかかったような場合でも、シールパッキン５３が装着されている内扉３２にかかる荷重はほとんど変化しないので浴槽内の液密性が失われるようなことはない。
【００９４】
座部７３の中央部分は、扁平の円筒状にくり抜かれており、この部分に金属製の多孔板７７が設置されている。そして、多孔板７７のいくつかの孔７７ａには、ころがり回転が可能なボールベアリング７９が設置され、その上に扁平の円板状をした座面７５が載せられており、回動可能な構造の座部７３になっている。
【００９５】
したがって、入浴者は、椅子７の座面７５に座った状態で、少ない力で座面７５を回動させて体の向きを変えることができる。加えて、椅子７の座面７５を回動可能にすることによって、入浴者は狭い空間でも楽に浴槽部３に出入りをすることができる。
６．介護用浴槽の使用方法
本発明に関わる介護用浴槽１の使用方法について説明する（図８）。例えば、足が不自由な入浴者Ａは、図示されていない車椅子などに乗って介護用浴槽１の近くまで来ることができる。
【００９６】
介護者Ｂは、開閉レバー３７を引き上げた状態で、それを手前に引いて扉部５を開く。そして、入浴者Ａは自力で、又は介護者Ｂの助けを受けて椅子７に腰を下ろす（図８（ａ））。次に、入浴者Ａは自力で、又は介護者Ｂの助けを受けて足の部分を浴槽部３に入れる（図８（ｂ））。椅子７の座面７５が回動可能なので、足を入れる際の入浴者の労力を軽減できる。
【００９７】
そして、介護者Ｂは、入浴者Ａが椅子７に腰を下ろした状態で、扉部５を回動させて閉めてから開閉レバー３７を押し下げる。この状態で、浴槽部３の受鉤４１ａ〜ｄと、扉部５の掛鉤４３ａ〜ｄとは計４箇所で係合し、上述したようにねじりバネ５７によってストッパー３９が作動して扉部５が浴槽部３にロックされて固定される（図８（ｃ））。したがって、この状態で扉部５が不意に開くようなことはない。
【００９８】
介護者Ｂは、図示されていないホースなどを用いて温水器などから温水を浴槽部３に供給し、入浴者Ａの入浴が行われる。入浴後、入浴者Ａ又は介護者Ｂは、図示されていない排水栓を開けて浴槽内の温水を抜く。介護者Ｂは、ストッパー３９を引いて係合駆動部４０ａのロックを外し、開閉レバー３７を持ち上げて受鉤４１ａ〜ｄと掛鉤４３ａ〜ｄとの係合を解除してから扉部５を回動させて開く。そして、入浴者Ａは自力で、又は介護者Ｂの助けを受けて退浴をすることができる。
【００９９】
上述したように、本発明に係わる扉付の介護用浴槽１は、車椅子のままで入浴するようなものではない。したがって、浴槽内の温水を汚したり、それによる入浴者に不安や不快な印象を与えたりすることがない。
【０１００】
また、軽度の体の不自由な人にとっては、入浴時及び退浴時において足を動かすなどの適度の運動をすることができる。したがって、リハビリの面からも優れたものである。
【０１０１】
加えて、本発明は複雑な制御装置を用いておらず、小型・軽量であり、比較的簡単な構造をしているので、安価で壊れにくく、使いやすい構造をした扉付の介護用浴槽を提供することができる。
【産業上の利用可能性】
【０１０２】
本発明は、体の不自由な方が使用できる介護用浴槽に利用することができる。
【符号の説明】
【０１０３】
１  介護用浴槽
３  浴槽部
５  扉部
７  椅子
９  装飾板
１１  前面部
１３  後面部
１５  左側面部
１７  右側面部
１９  底面部
２０ａ，ｂ  ヒンジ
２１ａ，ｂ，ｃ，ｄ  浴槽用キャスター
２３  シールパッキン当接部
３１  外扉
３１ａ  ローラベアリング
３２  内扉
３２ａ  枠体部
３２ｂ  シールパッキン保持部
３２ｃ  コイルバネ（引張バネ）
３２ｄ  ビス穴
３４  扉用キャスター
３５  椅子固定用孔
３６  係合部
３７  開閉レバー
３９  ストッパー
３９ａ  ストッパー軸部
４０ａ，ｂ  係合駆動部
４１ａ，ｂ，ｃ，ｄ  受鉤
４２  ハテナ字状部材
４３ａ，ｂ，ｃ，ｄ  掛鉤
４５ａ，ｂ，ｃ，ｄ  受鉤挿入孔
４７  左側面受鉤取付板
４８  リンク板
４８ａ，ｂ  回転軸
４９ａ，ｂ  左右連結棒
５０ａ，ｂ  回転軸兼連結棒
５３  シールパッキン
５７  ねじりバネ
７０  椅子係止用ビス孔
７１  背当部
７２  椅子固定具
７３  座部
７５  座面
７７  多孔板
７７ａ  孔
７９  ボールベアリング
【要約】
【課題】  入浴者にとって不安や不快な印象を与えたりすることがなく、軽度の体の不自由な人にとっては適度の運動を強いることができるとともに、安価で使いやすい構造の介護用浴槽１を提供する。
【解決手段】  本発明に係わる介護用浴槽１は、一対のヒンジ２０ａ，ｂによって、扉部５が開閉可能な状態で浴槽部３と連結されている。浴槽部３の前面部１１には、左右それぞれに上下一対、計４個の受鉤４１ａ〜ｄが設置されている。扉部５の浴槽部３との対向面には、受鉤４１ａ〜ｄと係合する計４個の掛鉤４３ａ〜ｄが設置されている。扉部５の掛鉤４３ａ〜ｄは、１個の開閉レバー３７を押し下げることによって左右一対の係合駆動部４０ａ，ｂを介して回動されて、浴槽部３の受鉤４１ａ〜ｄと係合される。さらに、扉部５には座面７５が回動する構造の椅子７が設置されている。
【選択図】  図４【図２】
0005522767.tif 000002
【図３】
0005522767.tif 000003
【図４】
0005522767.tif 000004
【図５】
0005522767.tif 000005
【図６】
0005522767.tif 000006
【図７】
0005522767.tif 000007
【図８】
0005522767.tif 000008
【図１】
0005522767.tif 000009